(57)【要約】      （修正有）【課題】十分な量の水媒体を水拡散布に供給して湿潤させ、扇風により水分を気化させることにより、気化熱により温度の低下した涼風を供給する涼風扇風機及び扇風機用涼風装置を提供する。【解決手段】水媒体を水拡散布２０１に供給して湿潤させ、扇風により水分を気化させることにより、気化熱により温度の低下した涼風を供給する涼風扇風機１００は、水拡散布２０１を平板格子状支持部２０２により支持し、平板格子状支持部２０２を、カバー接続部固定具２０３とファン駆動部固定具２０４とにより扇風機１００のカバー接続部１０３とファン駆動部１０４とに固定して、扇風機１００の前面ファンカバー１０１の前面に鉛直に配置し、平板格子状支持部２０２により支持された水拡散布２０１に上方から水媒体を供給する涼風装置２００を搭載する。【選択図】図１
0003178862.tif 000002
【実用新案登録請求の範囲】
【請求項１】
水媒体を水拡散布に供給して湿潤させ、扇風により水分を気化させることにより、気化熱により温度の低下した涼風を供給する扇風機用の涼風装置であって、
前記水拡散布を平板格子状支持部により支持し、前記平板格子状支持部を、カバー接続部固定具とファン駆動部固定具とにより扇風機のカバー接続部とファン駆動部とに固定して、前記扇風機の前面ファンカバーの前面に鉛直に配置し、前記平板格子状支持部により支持された前記水拡散布に、前記扇風機のスタンドに固定される水供給部に配置された水供給容器から前記水媒体を供給することを特徴とする扇風機用の涼風装置。
【請求項２】
請求項１に記載の扇風機用の涼風装置において、前記平板格子状支持部の上部に設けられた水供給筒と、前記水供給筒に接続された複数の細孔を有する水供給パイプと、前記水供給パイプの複数の細孔を覆う前記水拡散布と、を介して、前記水媒体を前記水拡散布に供給することを特徴とする扇風機用の涼風装置。
【請求項３】
請求項２に記載の扇風機用の涼風装置において、前記平板格子状支持部により支持された前記水拡散布には、前記平板格子状支持部の複数の格子のいくつかに対応した複数の貫通孔部が形成されていることを特徴とする扇風機用の涼風装置。
【請求項４】
請求項３に記載の扇風機用の涼風装置において、前記平板格子状支持部の上部に水準器を設けていることを特徴とする扇風機用の涼風装置。
【請求項５】
請求項４に記載の扇風機用の涼風装置において、前記平板格子状支持部の下部に垂れ水を受ける垂れ水受け部と垂れ水受け容器を設けていることを特徴とする扇風機用の涼風装置。
【請求項６】
請求項１ないし５のいずれかの涼風装置を搭載したことを特徴とする涼風扇風機。
【考案の詳細な説明】
【技術分野】
【０００１】
本考案は、扇風機用の涼風装置及び涼風扇風機に関する。
【背景技術】
【０００２】
東日本大震災の影響により多くの原子力発電所の稼働が停止し、全国で電力不足が予測される中、エアコンより消費電力が少ない扇風機の需要が高まっており、特に、省エネ性能に優れたインバータモータを採用した扇風機やバッテリーを内蔵して夜間電力を利用可能な扇風機や送風方向を制御し暖空気と冷空気を混合可能な高機能な扇風機が出現している。
【０００３】
従来からの、扇風機の送風を冷却して室温の低下を図る試みとしては、大別すると、（１）水分を噴霧したミストを送風する扇風機、（２）扇風機の前面に配置した氷などの冷媒により冷却した空気を送風する扇風機、（３）水分を気化して気化熱により冷風を送風する扇風機などが知られており、様々なアイデアのものが検討されている。
【０００４】
（１）の水分を噴霧しミストを送風する扇風機としては、例えば、特許文献１の「イオンミストを外方へ噴出する静電霧化装置を具備する扇風機」が知られている。また、（２）の扇風機の前面に配置した氷などの冷媒により冷却した空気を送風する扇風機としては、例えば、特許文献２の「前記ボトル保持手段を扇風機の前面若しくは背面に固定する固定手段とを有する扇風機用送風冷却器」が知られている。
【０００５】
一方、（３）の水分を気化して気化熱により送風の冷却を図る扇風機としては、例えば、特許文献３の「夫々一面に多数の細孔を具備し、夫々の両端が閉塞された二股枝管を備えた冷媒水供給管と、前記枝管から滲出する冷媒水を含浸すると共に保水する湿潤布と、適当な構造の送風機とより成り、前記湿潤布を、送風機の前ガード上面上に、前記冷媒水供給管の二股枝管を、送風機の前、後ガード合体用のガードリング上に夫々装着すると共に、此れ等両者を、前記冷媒水が直接的又は間接的に、後者から前者へ供給され得る様に構成した事を特徴とする温度、湿度調節送風機」が知られている。
【先行技術文献】
【特許文献】
【０００６】
【特許文献１】特開２００９−１２７４６１号公報
【特許文献２】特開２００６−７０８１２号公報
【特許文献３】実用新案登録第３１６６７４４号
【考案の概要】
【考案が解決しようとする課題】
【０００７】
従来技術である特許文献３に記載された温度、湿度調節送風機は、多数の細孔を具備し、夫々の両端が閉塞された二股枝管から滲出する冷媒水の一部が、送風機の前ガード上面上に配置された湿潤布に供給されるものであるが、湿潤布は前ガード上面の１／４程度の面積しかなく、また、二股枝管から滲出する冷媒水の多くは水滴のまま落下して送風され、水滴による湿度が上昇して、室内に快適な涼風を供給することには適していないものであった。
【０００８】
本考案は、十分な量の水媒体を水拡散布に供給して湿潤させ、扇風により水分を気化させることにより、気化熱により温度の低下した涼風を供給する涼風扇風機及び扇風機用涼風装置を提供することを目的とする。
【課題を解決するための手段】
【０００９】
本考案の扇風機用の涼風装置は、水媒体を水拡散布に供給して湿潤させ、扇風により水分を気化させることにより、気化熱により温度の低下した涼風を供給する扇風機用の涼風装置であって、前記水拡散布を平板格子状支持部により支持し、前記平板格子状支持部を、カバー接続部固定具とファン駆動部固定具とにより扇風機のカバー接続部とファン駆動部とに固定して、前記扇風機の前面ファンカバーの前面に鉛直に配置し、前記平板格子状支持部により支持された前記水拡散布に、前記扇風機のスタンドに固定される水供給部に配置された水供給容器から前記水媒体を供給することを特徴とする。
【考案の効果】
【００１０】
本考案によれば、十分な量の水媒体を拡散布に供給して湿潤させ、扇風により水分を気化させることにより、気化熱により温度の低下した涼風を供給する扇風機用の涼風装置及び涼風扇風機を提供することができる。
【図面の簡単な説明】
【００１１】
【図１】図１は、本考案の実施例１の涼風扇風機の斜視図である。
【図２】図２は、本考案の実施例１の涼風扇風機の分解斜視図である。
【図３】図３は、本考案の実施例１の扇風機用の涼風装置の正面図である。
【図４】図４は、本考案の実施例１の扇風機用の涼風装置のＡ−Ａ’断面図である。
【図５】図５は、本考案の実施例２の扇風機用の涼風装置のＡ−Ａ’断面図である。
【考案を実施するための形態】
【００１２】
本考案の実施形態の扇風機用の涼風装置は、水媒体を水拡散布に供給して湿潤させ、扇風により水分を気化させることにより、気化熱により温度の低下した涼風を供給する扇風機用の涼風装置であって、前記水拡散布を平板格子状支持部により支持し、前記平板格子状支持部を、カバー接続部固定具とファン駆動部固定具とにより扇風機のカバー接続部とファン駆動部とに固定して、前記扇風機の前面ファンカバーの前面に鉛直に配置し、前記平板格子状支持部により支持された前記水拡散布に、前記扇風機のスタンドに固定される水供給部に配置された水供給容器から前記平板格子状支持部の上部に設けられた水供給筒と、前記水供給筒に接続された複数の細孔を有する水供給パイプと、前記水供給パイプの複数の細孔を覆う前記水拡散布と、を介して、前記水媒体を前記水拡散布に供給することが望ましい。
【００１３】
本考案の実施形態の扇風機用の涼風装置は、更に、前記平板格子状支持部により支持された前記水拡散布には、前記平板格子状支持部の複数の格子のいくつかに対応した複数の貫通孔部が形成されていることが望ましい。
【００１４】
本考案の実施形態の扇風機用の涼風装置は、更に、前記平板格子状支持部の上部に水準器を設けることが望ましい。
【００１５】
本考案の実施形態の扇風機用の涼風装置は、更に、前記平板格子状支持部の下部に垂れ水を受ける垂れ水受け部と垂れ水受け容器を設けることが望ましい。
【００１６】
また、本考案の実施形態の涼風扇風機は、上述の扇風機用の涼風装置を搭載することが望ましい。以下、本考案の扇風機用の涼風装置及び涼風扇風機の実施例について、図面を参照して説明する。
【実施例１】
【００１７】
図１は、本考案の実施例１の涼風扇風機の斜視図である。図１において、１００は通常の室内用扇風機、２００は本考案の実施例１の扇風機用の涼風装置、３００は扇風機用の涼風装置に水媒体を供給する水供給部である。
【００１８】
本考案の実施例１の涼風装置２００は、水拡散布２０１が平板格子状支持部２０２に支持された状態で、扇風機１００のカバー接続部固定具２０３、ファン駆動部固定具２０４により、平板状の水拡散布２０１を扇風機１００の前面ファンカバー１０１の前面に鉛直に配置可能である。
【００１９】
水供給部３００に支持された水供給容器３０１からの水媒体が、水供給チューブ３０４を介して、平板格子状支持部２０２に支持された水拡散布２０１の上部から供給されて、水拡散布２０１に浸透し、扇風機１００のファンからの風により気化して気化熱を奪うことにより涼風を発生する。
【００２０】
図２は、本考案の実施例１の涼風扇風機の分解斜視図である。涼風扇風機は、通常の室内用扇風機１００、水媒体の気化により涼風を発生する涼風装置２００、涼風装置２００に水媒体を供給する水供給部３００から構成される。
【００２１】
扇風機１００は、前面ファンカバー１０１と後面ファンカバー１０２がカバー接続部１０３で接合され、ファンがファン駆動部１０４により回転して送風すると共に左右の首ふり動作を行う。扇風機スタンド１０５に伸縮スタンド１０６が設けられて、基台１０７からの高さ調節が可能であり、基台１０７には、電源コード１０８、風量切替ボタン１０９、扇風機タイマー１１０が設けられている。
【００２２】
涼風装置２００は、水拡散布２０１が平板格子状支持部２０２に支持され、カバー接続部固定具２０３とファン駆動部固定具２０４により、平板状の水拡散布２０１が扇風機１００の前面ファンカバー１０１の前面に鉛直に配置される。なお、ファン駆動部固定具２０４としては、例えば、ベルベット式ファスナー（マジックテープ（登録商標））による固定方法を採用することができる。 
【００２３】
平板格子状支持部２０２の上部には、水供給筒２０５と水供給パイプ２０６が設けられており、水供給筒２０５に接続された水供給パイプ２０６の複数の細孔から供給される水媒体が、複数の細孔を備えた水供給パイプ２０６を覆う水拡散布２０１を介して、水拡散布２０１に浸透する。水供給パイプ２０６を覆う水拡散布２０１により、水供給パイプ２０６からの水媒体を効率的に水拡散布２０１に供給することができる。
【００２４】
平板格子状支持部２０２の水拡散布２０１の上部には水準器２１１が設けられており、上記水準器２１１を用いることにより、涼風装置２００を、カバー接続部固定具２０３とファン駆動部固定具２０４により、平板状の水拡散布２０１が扇風機１００の前面ファンカバー１０１の前面に鉛直且つ水平に配置することができる。
【００２５】
また、水拡散布２０１の下部には水拡散布折り返し部２０８が設けられており、供給された水媒体の保持能力を高めることができる。また、垂れ水受け部２０９と垂れ水受け容器２１０を設けて、多量の水媒体を供給する場合の垂れ水を受けることができる。
【００２６】
また、水拡散布２０１には、複数の通気孔部２１２が設けられている。通気孔部２１２は、熱伝導性の良い、例えば、アルミニウムなどの金属材料により、水拡散布２０１に、ハトメの形態で形成することができる。
【００２７】
水供給部３００は、水供給部固定具３０３により扇風機スタンド１０５に固定される。  水供給部３００では、水供給容器支持部３０２により水供給容器３０１が支持され、水供給部固定具３０３により所定の高さに配置される。水供給容器３０１と、平板格子状支持部２０２上部の水供給筒２０５とが水供給チューブ３０４により接続され、水供給容器３０１からの水媒体が涼風装置２００内の水拡散布２０１に供給され、水流調節クリップ３０５により水媒体の流量を調節することができる。
【００２８】
図３は、本考案の実施例１の涼風装置２００の正面図である。図３において、平板格子状支持部２０２の上部に設けられた水供給筒２０５から水媒体が供給される。水供給筒２０５には、複数の細孔が設けられた水供給パイプ２０６が接続されており水供給パイプ２０６の複数の細孔から供給される水媒体が、複数の細孔を覆う水拡散布２０１を介して、水拡散布２０１に浸透する。また、垂れ水受け部２０９と垂れ水受け容器２１０を設けて、多量の水媒体を供給する場合の垂れ水を受けることができる。
【００２９】
また、本考案の実施例１の涼風装置２００では、平板格子状支持部２０２の水拡散布２０１に複数の通気孔部２１２が設けられている。また、垂れ水受け部２０９にも複数の通気孔部２１２が設けられている。通気孔部２１２は、熱伝導性の良い、例えば、アルミニウムなどの金属材料により、水拡散布２０１に、平板格子状支持部２０２の格子の一つおきにハトメの形態で複数の通気孔部２１２を形成することができる。
【００３０】
図３では、複数の通気孔部２１２は、平板格子状支持部２０２の各格子に一つおきに設けられており、垂れ水受け部２０９の下部に２つ設けられているが、これらの複数の通気孔部２１２の数や配置や孔の大きさや材質などは、水拡散布２０１での水媒体の蒸発の程度と水拡散布２０１を通過する風量等を考慮して適切な設定を行うことができる。
【００３１】
本考案の実施例１の涼風装置２００では、水拡散布２０１内に浸透した水媒体が扇風機１００のファンからの扇風により気化して冷却され、温度の低下した複数の通気孔部２１２内をより風量の増加した涼風が通過し、水拡散布２０１内に浸透したより多くの水媒体が蒸発し、より温度が低下した快適な涼風が送風される。
【００３２】
図４は、本考案の実施例１の涼風装置２００の図３のＡ−Ａ’断面図を示している。水供給筒２０５と、水供給パイプ２０６と、水供給パイプ２０６の細孔と、細孔を覆う水拡散布２０１と、平板格子状支持部２０２に支持された水拡散布２０１との関係を説明する。図４において、水供給筒２０５からの水媒体は、水供給パイプ２０６に供給され、水供給パイプ２０６に設けられた複数の細孔から供給される水媒体が、細孔を備えた水供給パイプ２０６を覆う水拡散布２０１を介して、平面状の水拡散布２０１に浸透する。
【００３３】
図４では、水供給パイプ２０６を覆う布は、水拡散布２０１と同一の素材の水拡散布２０１が水供給パイプ２０６を覆っている。水供給パイプ２０６の下方の複数の細孔から供給される水媒体は、水供給パイプ２０６を覆い、水供給パイプ２０６の下方の複数の細孔の下部で、両端が平板格子状支持部２０２で挟まれた水拡散布２０１に浸透し、平面状の水拡散布２０１に拡散するので、水供給パイプ２０６の下方の複数の細孔から水滴が直接に垂れることはない。
【００３４】
また、平面状の水拡散布２０１には、熱伝導性の良い、例えば、アルミニウムなどの金属材料により、ハトメの形態で形成された複数の通気孔部２１２が設けられ、垂れ水受け部２０９にも複数の通気孔部２１２が設けられている。平板格子状支持部２０２により支持された水拡散布２０１の通気孔部２１２の周囲を水媒体が浸透して流下する。扇風機１００のファンからの扇風の一部は、水拡散布２０１の浸透した水媒体を蒸発して気化熱を奪うと共に、気化熱を奪われて温度が低下した涼風が、通気孔部２１２と水拡散布２０１を介して送風される。
【実施例２】
【００３５】
図４では、水供給パイプ２０６を覆う布は、水拡散布２０１と同一の素材を用いて、水供給パイプ２０６を覆っているが、水供給パイプ覆い布２０７として、水拡散布２０１と異なる素材を用いて、水供給パイプ覆い布２０７と水拡散布２０１との面接触により効率的に水媒体を浸透させることができる。
【００３６】
図５は、本考案の実施例２の扇風機用の涼風装置２００のＡ−Ａ’断面図である。水供給パイプ２０６の下部付近では、水供給パイプ２０６を覆う水供給パイプ覆い布２０７と水拡散布２０１の双方が、平板格子状支持部２０２により支持され、水供給パイプ２０６の細孔からの水媒体が、水供給パイプ覆い布２０７と水拡散布２０１との面接触により効率的に水媒体が浸透する。
【００３７】
水拡散布２０１内に浸透した水媒体は、扇風機１００のファンからの風により、水拡散布２０１内に浸透した水媒体が蒸発し、蒸発時の気化熱が奪われて温度が低下した涼風が通気孔部２１２と水拡散布２０１を介して送風される。水媒体を水拡散布２０１に急速に浸透させる水供給パイプ覆い布２０７を用いて水拡散布２０１への浸透を加速し、水拡散布２０１に扇風がそのまま通過する熱伝導性の良い材料により、貫通した複数の通気孔を設けることにより、風量は更に増加し、貫通した通気孔部２１２の近傍の水拡散布２０１に含まれる水媒体を気化して温度が低下した大量の涼風を送風することができる。
【００３８】
なお、本考案は上記した実施例に限定されるものではなく、様々な変形例が含まれる。例えば、上記した実施例は本考案を分りやすく説明するために詳細に説明したものであり、必ずしも説明した全ての構成を備えるものに限定されるものではない。
【００３９】
また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００４０】
また、上記の室内扇風機の各構造、機能等はそれらの一部又は全部を、他のハードウェアで実現してもよい。室内扇風機の各構造、機能等に応じて、本考案の構成の追加・削除・置換をすることが可能である。
【符号の説明】
【００４１】
１００  扇風機
１０１  前面ファンカバー
１０２  後面ファンカバー
１０３  カバー接続部
１０４  ファン駆動部
１０５  扇風機スタンド
１０６  伸縮スタンド
１０７  基台
１０８  電源コード
１０９  風量切替ボタン
１１０  扇風機タイマー
２００  涼風装置
２０１  水拡散布
２０２  平板格子状支持部
２０３  カバー接続部固定具
２０４  ファン駆動部固定具
２０５  水供給筒
２０６  水供給パイプ
２０７  水供給パイプ覆い布
２０８  水拡散布折り返し部
２０９  垂れ水受け部
２１０  垂れ水受け容器
２１１  水準器
２１２  通気孔部
３００  水供給部
３０１  水供給容器
３０２  水供給容器支持部
３０３  水供給部固定具
３０４  水供給チューブ
３０５  水流調節クリップ
【図１】
0003178862.tif 000003
【図２】
0003178862.tif 000004
【図３】
0003178862.tif 000005
【図４】
0003178862.tif 000006
【図５】
0003178862.tif 000007